(57)【要約】【課題】鞍乗型車両において、Ｖベルト式無段変速機の冷却性能の向上と車体カバーの小型化とを両立させる。【解決手段】シートの前方には、下方に窪んだ側面視凹状空間が区画されている。車体カバー内には、センタートンネルが区画されている。鞍乗型車両は、前記凹状空間の下方において車体フレーム１１に支持されたエンジンユニット２８を備えている。エンジンユニット２８は、内部にＶベルト式無段変速機を収容するベルト室が形成された変速機ケース５３を有している。変速機ケース５３の車幅方向の外方にはフットレスト８５Ｒが配置されている。前記センタートンネルの車幅方向の外方かつ変速機ケース５３の上方には、Ｖベルト式無段変速機を冷却する空気を導く吸気ダクト１３６が配置されている。【選択図】図３
0003150482.tif 000002
【実用新案登録請求の範囲】
【請求項１】
フレームとシートとを備え、前記シートの前方に下方に窪んだ側面視凹状空間が形成され、乗員が前記シートに着座しかつ前記フレームを跨いで乗車する鞍乗型車両であって、
前記フレームを覆い、外側に前記凹状空間を区画しかつ内側にセンタートンネルを区画する車体カバーと、
前記凹状空間の下方において前記フレームに支持され、エンジンと、Ｖベルト式無段変速機と、内部に前記Ｖベルト式無段変速機を収容するベルト室が形成された変速機ケースとを有するエンジンユニットと、
前記センタートンネルの車幅方向の外方かつ前記変速機ケースの上方に配置され、前記ベルト室と連通する空気通路と、を備え、
前記空気通路の上端は、前記凹状空間の下端よりも低い鞍乗型車両。
【請求項２】
フレームと、
前記フレームに支持され、エンジンと、Ｖベルト式無段変速機と、内部に前記Ｖベルト式無段変速機を収容するベルト室が形成された変速機ケースとを有するエンジンユニットと、
平面視において前記変速機ケースの車幅方向の外方に配置され、乗員の足を支持する足載せ部材と、
前記変速機ケースの上方に配置され、前記ベルト室と連通する空気通路と、を備え、
平面視において、前記空気通路の車幅方向の外側端は、前記足載せ部材の車幅方向の内側端よりも内側に位置している鞍乗型車両。
【請求項３】
前記空気通路を区画するダクトと、車幅方向の内側に向かって開口し、前記ダクトの外側を覆うカバーと、を備えた請求項１または２に記載の鞍乗型車両。
【請求項４】
前記空気通路を区画するダクトと、車幅方向の内側に向かって開口し、前記ダクトの外側を覆うカバーと、を備え、
前記車体カバーと前記カバーとは部分的に重なっている、請求項１に記載の鞍乗型車両。
【請求項５】
前記カバーの内部空間と前記センタートンネルとは連通している、請求項４に記載の鞍乗型車両。
【請求項６】
前記変速機ケースの前方において上下方向又は斜め上下方向に延び、前記空気通路よりも車幅方向の外側に延設されたレッグシールドを備えている、請求項１または２に記載の鞍乗型車両。
【請求項７】
前記空気通路の前後方向長さは、前記変速機ケースの前後方向長さよりも短い、請求項１または２に記載の鞍乗型車両。
【請求項８】
平面視において前記変速機ケースの車幅方向の外方に配置され、乗員の足を支持する足載せ部材を備え、
平面視において、前記空気通路の車幅方向の外側端は、前記足載せ部材の車幅方向の内側端よりも内側に位置している、請求項１に記載の鞍乗型車両。
【請求項９】
前記Ｖベルト式無段変速機は、第１のシーブ軸と、前記第１のシーブ軸よりも後側に位置する第２のシーブ軸とを備え、
前記空気通路の少なくとも一部は、前記第１のシーブ軸と前記第２のシーブ軸との間の上方に位置している、請求項１または２に記載の鞍乗型車両。
【請求項１０】
前記変速機ケースは、車両走行時に前上がり又は前下がりに傾斜した状態となる上面部を有し、
前記空気通路には、前記変速機ケースの上面部に対向する吸気口が形成されている、請求項１または２に記載の鞍乗型車両。
【請求項１１】
前記Ｖベルト式無段変速機は、プライマリシーブと、前記プライマリシーブよりも後側に位置しかつ前記プライマリシーブよりも直径の大きなセカンダリシーブとを備え、
前記変速機ケースは、車両走行時に前下がりに傾斜した状態となる上面部を有し、
前記空気通路には、前記変速機ケースの上面部に対向する吸気口が形成されている、請求項１または２に記載の鞍乗型車両。
【請求項１２】
前記空気通路を区画する吸気ダクトを備えている、請求項１または２に記載の鞍乗型車両。
【請求項１３】
後輪と、前記エンジンの駆動力を前記後輪に伝達する動力伝達機構とを備えている、請求項１または２に記載の鞍乗型車両。
【請求項１４】
前記空気通路及び前記動力伝達機構のいずれか一方は車両の右半部に配置され、他方は車両の左半部に配置されている、請求項１３に記載の鞍乗型車両。
【請求項１５】
前記空気通路は、車幅方向に関して前記車体カバーよりも外側に配置されている、請求項１に記載の鞍乗型車両。
【考案の詳細な説明】
【技術分野】
【０００１】
本考案は、Ｖベルト式無段変速機を備えた鞍乗型車両に関するものである。
【背景技術】
【０００２】
従来より、Ｖベルト式無段変速機を備えた自動二輪車等が知られている（例えば、下記特許文献１参照）。
【０００３】
Ｖベルト式無段変速機のＶベルトは、自動二輪車等の走行時に摩擦熱等によって温度が上昇する。そこで、Ｖベルトが収容されたベルト室に外部から空気を供給し、Ｖベルトを強制的に冷却する方法がよく用いられている。
【０００４】
特許文献１に開示された自動二輪車は、側方から見て略Ｖ字状の車体フレームを備えている。この車体フレームは車体カバーに覆われ、エンジンは車体フレームの略Ｖ字状の谷部に配置されている。車体フレームは、谷部から前上がりに傾斜する前側傾斜部と、谷部から後ろ上がりに傾斜する後側傾斜部とを有している。
【０００５】
上記自動二輪車は、ベルト室に空気を導入する吸気ダクトと、ベルト室内の空気を外部に排出する排気ダクトとを備えている。吸気ダクトは、車体フレームの前側傾斜部に沿って略直線上に配置され、ヘッドパイプの前方にまで延設されている。排気ダクトは、車体フレームの後側傾斜部に沿って略直線上に配置され、後輪の上方まで延設されている。このように、上記自動二輪車では、吸気ダクト及び排気ダクトは車体フレームの略Ｖ字形状に沿って設けられていた。
【先行技術文献】
【特許文献】
【０００６】
【特許文献１】特開２００２−１３０４４０号公報
【考案の概要】
【考案が解決しようとする課題】
【０００７】
しかしながら、特許文献１に開示された自動二輪車では、吸気ダクト及び排気ダクトは、車体カバーの内部において車体フレームに沿うように配置されていた。そのため、吸気ダクト及び排気ダクトの分だけ車体カバーが大型化することとなった。一方、車体カバーを小型化するために吸気ダクト及び排気ダクトを小径化することとすると、吸気ダクト内及び排気ダクト内の空気通路の流路断面積を十分に確保することができなくなり、Ｖベルト式無段変速機の冷却性能が低下することとなる。
【０００８】
本考案は、かかる点に鑑みてなされたものであり、その目的とするところは、Ｖベルト式無段変速機の冷却性能の向上と車体カバーの小型化とを両立させることにある。
【課題を解決するための手段】
【０００９】
本考案に係る鞍乗型車両は、フレームとシートとを備え、前記シートの前方に下方に窪んだ側面視凹状空間が形成され、乗員が前記シートに着座しかつ前記フレームを跨いで乗車する鞍乗型車両であって、前記フレームを覆い、外側に前記凹状空間を区画しかつ内側にセンタートンネルを区画する車体カバーと、前記凹状空間の下方において前記フレームに支持され、エンジンと、Ｖベルト式無段変速機と、内部に前記Ｖベルト式無段変速機を収容するベルト室が形成された変速機ケースとを有するエンジンユニットと、前記センタートンネルの車幅方向の外方かつ前記変速機ケースの上方に配置され、前記ベルト室と連通する空気通路と、を備え、前記空気通路の上端は、前記凹状空間の下端よりも低いものである。
【００１０】
上記鞍乗型車両によれば、センタートンネルの車幅方向の外方かつ変速機ケースの上方の空間に、ベルト室と連通する空気通路が配置されているので、上記空間が空気通路の設置スペースとして有効利用される。そのため、車体カバーを大型化しなくても、十分な流路断面積を有する空気通路を形成することができる。したがって、Ｖベルト式無段変速機の冷却性能の向上と車体カバーの小型化とを両立させることができる。なお、空気通路の上端はシート前方の凹状空間の下端よりも低くなっている。そのため、この種の形式の鞍乗型車両、すなわち、シートの前方に下方に窪んだ凹状空間が形成されかつ乗員が車体フレームを跨いで乗車する形式の鞍乗型車両において、上述の空気通路の配置が可能又は容易となる。
【００１１】
本考案に係る他の鞍乗型車両は、フレームと、前記フレームに支持され、エンジンと、Ｖベルト式無段変速機と、内部に前記Ｖベルト式無段変速機を収容するベルト室が形成された変速機ケースとを有するエンジンユニットと、平面視において前記変速機ケースの車幅方向の外方に配置され、乗員の足を支持する足載せ部材と、前記変速機ケースの上方に配置され、前記ベルト室と連通する空気通路と、を備え、平面視において、前記空気通路の車幅方向の外側端は、前記足載せ部材の車幅方向の内側端よりも内側に位置しているものである。
【００１２】
上記鞍乗型車両においても、変速機ケースの上方の空間に、ベルト室と連通する空気通路が配置されているので、上記空間が空気通路の設置スペースとして有効利用される。そのため、Ｖベルト式無段変速機の冷却性能の向上と車体カバーの小型化とを両立させることができる。また、空気通路が足載せ部材ほど車幅方向の外側に出っ張っていないので、鞍乗型車両のスリム化を促進することができる。
【考案の効果】
【００１３】
本考案によれば、Ｖベルト式無段変速機を備えた鞍乗型車両において、Ｖベルト式無段変速機の冷却性能の向上と車体カバーの小型化とを両立させることが可能となる。
【図面の簡単な説明】
【００１４】
【図１】第１実施形態に係る自動二輪車の側面図である。
【図２】車体フレーム、エンジンユニット、及び排気ダクト等の位置関係を示す平面図である。
【図３】エンジンユニットの右側面図である。
【図４】エンジンユニットの左側面図である。
【図５】エンジンユニットの取付状態を示す断面図である。
【図６】エンジンユニットの内部構造を示す断面図である。
【図７】エンジンユニットの一部の内部構造を示す断面図である。
【図８】第２ケースブロック及び変速機ケースの内側ケースの分解斜視図である。
【図９】変速機ケース内及び吸気ダクト等の断面図である。
【図１０】変形例に係る変速機ケース内及び吸気ダクト等の断面図である。
【図１１】第２実施形態に係る自動二輪車の側面図である。
【図１２】第２実施形態に係るエンジンユニットの内部構造を示す断面図である。
【図１３】第２実施形態に係る変速機ケース内及び排気ダクト等の断面図である。
【図１４】第３実施形態に係る変速機ケース内及び排気ダクト等の断面図である。
【考案を実施するための形態】
【００１５】
以下、本考案の実施形態を図面に基づいて詳細に説明する。
【００１６】
＜第１実施形態＞
図１に示すように、本実施形態に係る鞍乗型車両は自動二輪車１０である。自動二輪車１０は、骨格をなす車体フレーム１１と、乗員が着座するシート１６とを備えている。この自動二輪車１０は、いわゆるモペット型の自動二輪車である。すなわち、自動二輪車１０は、シート１６の前方に下方に窪んだ側面視凹状空間１７が形成され、シート１６に着座した乗員が車体フレーム１１を跨いで乗車するものである。なお、ここでいう「モペット型」は、単に車両の形状上の種類を表しているに過ぎず、車両の最高速度や排気量等を限定するものではなく、車両の大小等も何ら限定するものではない。
【００１７】
また、本考案に係る鞍乗型車両は、モペット型の自動二輪車に限らず、シートの前方に燃料タンクが配置されているいわゆるモーターサイクル型等の他の形式の自動二輪車等であってもよい。
【００１８】
以下の説明では、前後左右の方向は、シート１６に着座した乗員から見た方向を言うものとする。車体フレーム１１は、ステアリングヘッドパイプ１２と、ステアリングヘッドパイプ１２から後方斜め下向きに延びる一本のメインフレーム１３と、メインフレーム１３の中途部から後方斜め上向きに延びる左右のシートレール１４Ｌ，１４Ｒと、メインフレーム１３の後端部とシートレール１４Ｌ，１４Ｒの中途部とに接続された左右のシートピラーチューブ１５Ｌ，１５Ｒとを備えている。
【００１９】
車体フレーム１１の上方及び左右の側方は、車体カバー２１によって覆われている。車体カバー２１の外側（より詳しくは上側）かつシート１６の前方には、下方に窪んだ側面視凹状空間１７が区画されている。また、車体カバー２１の内側には、メインフレーム１３等の車体フレーム１１の通り道となるセンタートンネル１１ａが区画されている。
【００２０】
ステアリングヘッドパイプ１２には、フロントフォーク１８を介して前輪１９が支持されている。シートレール１４Ｌ，１４Ｒの上には、燃料タンク２０及びシート１６が支持されている。シート１６は、燃料タンク２０の上方からシートレール１４Ｌ，１４Ｒの後端部に向かって延びている。燃料タンク２０は、シートレール１４Ｌ，１４Ｒの前半部の上方に配置され、車体カバー２１及びシート１６によって覆われている。
【００２１】
メインフレーム１３の中途部には、下向きに突出した左右一対の第１エンジンブラケット２２Ｌ，２２Ｒが設けられている。メインフレーム１３の後端部には、それぞれ左右一対の第２エンジンブラケット２３Ｌ，２３Ｒ及びリヤアームブラケット２４Ｌ，２４Ｒが設けられている。なお、ここではメインフレーム１３等に設けられたブラケット、具体的には、第１エンジンブラケット２２Ｌ，２２Ｒ、第２エンジンブラケット２３Ｌ，２３Ｒ、及びリヤアームブラケット２４Ｌ，２４Ｒ等は、車体フレーム１１の一部をなすものとする。
【００２２】
リヤアームブラケット２４Ｌ，２４Ｒは、メインフレーム１３の後端部から下向きに突出している。これらリヤアームブラケット２４Ｌ，２４Ｒにはピボット軸３８が設けられ、ピボット軸３８にリヤアーム２５の前端部が揺動自在に支持されている。リヤアーム２５の後端部には後輪２６が支持されている。リヤアーム２５の後半部は、クッションユニット２７を介して車体フレーム１１に懸架されている。
【００２３】
図５に示すように、第２エンジンブラケット２３Ｌ，２３Ｒは、メインフレーム１３の後端部から下向きに突出している。これら左右の第２エンジンブラケット２３Ｌ，２３Ｒは、車幅方向に間隔を空けて向かい合っている。
【００２４】
図１に示すように、車体フレーム１１には、後輪２６を駆動するエンジンユニット２８が支持されている。具体的には、図４に示すように、エンジンユニット２８はクランクケース３５とシリンダ４３とシリンダヘッド４４とを備えている。クランクケース３５は第１及び第２のエンジンマウント部３６，３７を有している。第１エンジンマウント部３６は、クランクケース３５の前端部の上側から上向きに突出し、第１エンジンブラケット２２Ｌ，２２Ｒに支持されている。第２エンジンマウント部３７は、クランクケース３５の後端部の上側から後方斜め上向きに突出し、第２エンジンブラケット２３Ｌ，２３Ｒに支持されている（図５も参照）。このため、クランクケース３５は、メインフレーム１３に吊り下げられた状態で支持されている。
【００２５】
詳細は後述するように、エンジンユニット２８は、エンジン２９とベルト式無段変速機（以下、ＣＶＴという）３０とを備えている（図６参照）。エンジン２９の形式は何ら限定されないが、本実施形態では、エンジン２９は４サイクル単気筒エンジンによって構成されている。ＣＶＴ３０は変速機ケース５３によって覆われ、変速機ケース５３はカバー４５によって覆われている（図１参照）。
【００２６】
図３に示すように、変速機ケース５３には接続管８６が設けられている。詳細は後述するが、接続管８６は、変速機ケース５３におけるＣＶＴ３０のプライマリシーブ７１側の部分、言い換えると、変速機ケース５３の前半部に接続されている（図６参照）。接続管８６は、後方斜め上向きに延びている。
【００２７】
接続管８６には、吸気ダクト１３６が接続されている。図３及び図９に示すように、吸気ダクト１３６は、いったん斜め上向きに延びた後に下向きに湾曲する曲がり管からなり、ここでは約１８０度湾曲している。吸気ダクト１３６の車幅方向の内側には、下向きに開口する吸気口１３７が形成されている。吸気口１３７は、変速機ケース５３の上面部５３ｕに対向している。なお、この上面部５３ｕは水平面から傾いている。具体的には、変速機ケース５３の上面部５３ｕは、車両走行時に前下がりに傾斜した状態となる。ただし、上面部５３ｕを車両走行時に前上がりに傾斜した状態となるように形成することも可能であり、水平状態となるように形成することも可能である。
【００２８】
図２に示すように、吸気口１３７は、左右方向長さが前後方向長さよりも短い形状に形成されている。これにより、自動二輪車１０のスリム化が図られている。本実施形態では、吸気口１３７は平面視略長方形状に形成されている。ただし、吸気口１３７の形状は何ら限定されず、楕円形状、円形状等の他の形状であってもよい。図３に示すように、吸気口１３７は、前後方向に関して、ＣＶＴ３０のプライマリシーブ軸４６ｃ（図６参照）の軸心Ｃ１とセカンダリシーブ軸６２（図６参照）の軸心Ｃ２との間に配置されている。
【００２９】
図２に示すように、吸気ダクト１３６の前後方向長さは、変速機ケース５３の前後方向長さよりも短くなっている。平面視において、変速機ケース５３の右端と吸気ダクト１３６の右端とは、ほぼ揃った位置にある。そのため、吸気ダクト１３６は変速機ケース５３よりも側方に出っ張っておらず、自動二輪車１０のスリム化が図られている。
【００３０】
吸気ダクト１３６と接続管８６との間の接続態様は何ら限定されないが、本実施形態では、吸気ダクト１３６と接続管８６とはバンド１３５で固定されている（図３参照）。ただし、接続管１５２と吸気ダクト１５３とは、互いに螺合されていてもよい。また、接続管１５２と吸気ダクト１５３とは、互いに接合されていてもよい。また、接続管１５２と吸気ダクト１５３とは、一体化されていてもよい。
【００３１】
図９に示すように、吸気ダクト１３６の吸気口１３７の内側には、第１フィルタ１３８が取り付けられている。接続管８６の内部には、第２フィルタ１３９が取り付けられている。第１フィルタ１３８と第２フィルタ１３９とは同一種類のものであってもよいが、本実施形態では、第２フィルタ１３９は第１フィルタ１３８よりも目の細かいフィルタである。なお、フィルタは吸気通路のいずれかに設置されていればよく、その設置位置は特に限定されるものではない。また、フィルタの個数も何ら限定されず、例えば第１フィルタ１３８及び第２フィルタ１３９のいずれか一方を省略することも可能である。
【００３２】
カバー４５は変速機ケース５３及び吸気ダクト１３６の両方を覆っており、カバー４５の内部空間４５ｃの空気が吸気ダクト１３６の吸気口１３７から吸い込まれることになる。カバー４５の上端部４５ａは上向きに屈曲しており、車体カバー２１の一部と重なっている。なお、カバー４５と車体カバー２１とは直接重なっていてもよく、シール材等を介して重なっていてもよい。カバー４５の下端部４５ｂは、シール材１４０を介して変速機ケース５３と重なっている。
【００３３】
カバー４５の内部空間４５ｃとセンタートンネル１１ａとは連通しており、特に本実施形態では、カバー４５の内部空間４５ｃとセンタートンネル１１ａとは、カバー４５の上端部４５ａの下方において連続している。吸気ダクト１３６はカバー４５の内部空間４５ｃ内に配置され、センタートンネル１１ａの車幅方向の外方に位置している。なお、カバー４５の内部空間４５ｃとセンタートンネル１１ａとの境界は、車体カバー２１又はカバー４５の形状等に応じて適宜に設定することができる。例えば、車体カバー２１の右端部又はカバー４５の左端部を通る仮想垂直面を上記境界としてもよい。
【００３４】
本実施形態では、カバー４５、吸気ダクト１３６、及び接続管８６は、いずれも樹脂材料で形成されている。ただし、これらの材料は何ら限定されず、また、これらは別々の材料で形成されていてもよい。
【００３５】
図１に示すように、自動二輪車１０は、前輪１９の上方及び後方を覆うフロントフェンダー３１と、後輪２６の後方斜め上側を覆うリヤフェンダー３２とを備えている。
【００３６】
自動二輪車１０は、前述の車体カバー２１に加えて、フロントカウル３３と、左右のレッグシールド３４Ｌ，３４Ｒとを備えている。レッグシールド３４Ｌ，３４Ｒは運転者の脚部の前方を覆うカバー部材であり、側方から見て斜め上下方向に延びている。なお、レッグシールド３４Ｌ，３４Ｒはフロントカウル３３と一体となっていてもよく、別体であってもよい。
【００３７】
図２に示すように、レッグシールド３４Ｌ，３４Ｒの水平断面形状は、後方に向かって開いた凹形状に形成されている。言い換えると、レッグシールド３４Ｌ，３４Ｒの横断面形状は、前方に向かって先細りの略Ｃ字状の湾曲形状に形成されている。
【００３８】
ただし、レッグシールド３４Ｌ，３４Ｒの具体的形状は何ら限定されない。本実施形態のレッグシールド３４Ｌ，３４Ｒは湾曲板状に形成されているが、例えば平板状に形成されていてもよい。また、本実施形態では、レッグシールド３４Ｌ，３４Ｒの左右の幅は前側から後側に向かうにつれて大きくなっているが、左右の幅は一定であってもよい。また、レッグシールド３４Ｌ，３４Ｒは必ずしも斜め上下方向に延びている必要はなく、上下方向に延びていてもよい。レッグシールド３４Ｌ，３４Ｒは、側面視において一直線状に延びていてもよく、曲線状に延びていてもよい。また、レッグシールド３４Ｌ，３４Ｒの一部が直線状に延びかつ一部が曲線状に延びていてもよい。
【００３９】
本実施形態では、レッグシールド３４Ｌ，３４Ｒは、樹脂材料で形成されている。ただし、レッグシールド３４Ｌ，３４Ｒの材料は何ら限定される訳ではない。
【００４０】
レッグシールド３４Ｌ，３４Ｒの長手方向の長さも特に限定されないが、レッグシールド３４Ｒ，３４Ｌの下端は、変速機ケース５３の上端よりも下方に位置していることが好ましい。さらに、レッグシールド３４Ｌ，３４Ｒの下端は、変速機ケース５３の上下方向中間位置（後述のプライマリシーブ軸４６ｃの中心Ｃ１とセカンダリシーブ軸６２の中心Ｃ２とを結んだ線Ｌ１（図１参照））よりも下方に位置していることが好ましく、本実施形態では、変速機ケース５３の下端よりも下方に位置している。
【００４１】
図２に示すように（なお、図２ではカバー４５の図示は省略している。）、吸気ダクト１３６は車体フレーム１１の右側に配置され、右側のレッグシールド３４Ｒの後方に位置している。レッグシールド３４Ｒは、吸気ダクト１３６よりも車幅方向の外側（右側）に延設されている。
【００４２】
エンジンユニット２８の左側及び右側には、ゴム等からなるフットレスト８５Ｌ，８５Ｒが配置されている。フットレスト８５Ｌ，８５Ｒは、運転者の足を支持する足載せ部材である。左右のフットレスト８５Ｌ，８５Ｒは、金属製の連結棒８７と、この連結棒８７に固定された取り付け板８８（図３及び図４参照）とを介して、エンジンユニット２８のクランクケース３５に支持されている。
【００４３】
連結棒８７は、クランクケース３５の後半部の下方を通って車幅方向に延びている。連結棒８７の左端は、クランクケース３５の左側に突出し、左側のフットレスト８５Ｌを支持している。連結棒８７の右端は、変速機ケース５３の右側に突出し、右側のフットレスト８５Ｒを支持している。図３に示すように、取り付け板８８は金属板をプレス成形したものであり、取り付け板８８の前後方向の中間部には、連結棒８７を嵌め込む凹部８９が形成されている。凹部８９は、連結棒８７に下方から突き合わされるとともに、連結棒８７の外周面に溶接されている。
【００４４】
取り付け板８８は、連結棒８７の前方に張り出すフランジ状の第１取付部９０と、連結棒８７の後方に張り出すフランジ状の第２取付部９１とを有している。第１取付部９０及び第２取付部９１は、連結棒８７の軸方向（左右方向）に延びるとともに、クランクケース３５の後半部の下面８３と向かい合っている。
【００４５】
クランクケース３５の後半部の下面８３は、４つ（図３では２つのみ図示）のボス部９２を有している。これらボス部９２は、クランクケース３５の下面８３から下向きに突出しており、このクランクケース３５に一体に形成されている。各ボス部９２には、ボルト孔（図示せず）が形成されている。フットレスト８５Ｌ，８５Ｒの取り付け板８８にも、これらボス部９２に対応する位置にボルト孔（図示せず）が形成されている。そして、取り付け板８８とボス部９２とは、ボルト９９によって締結されている。このように、フットレスト８５Ｌ，８５Ｒは、連結棒８７及び取り付け板８８を介して、ボルト９９によってクランクケース３５に固定されている。
【００４６】
図１及び図２に示すように、右側のフットレスト８５Ｒの前方には、ブレーキペダル８４が設けられている。ブレーキペダル８４は、変速機ケース５３の下方を通って右斜め前方に突出し、変速機ケース５３の右側方において前方斜め上向きに延びている。図２に示すように、自動二輪車１０の走行の際には、平面視において、運転者の右足６２ａは変速機ケース５３及び吸気ダクト１３４と車幅方向に隣り合うことになる。なお、図２では図示を省略するが、カバー４５（図１参照）も右足６２ａと車幅方向に隣り合うことになる。
【００４７】
なお、本実施形態では、乗員の足を支持する足載せ部材はフットレスト８５Ｌ，８５Ｒによって構成されているが、足載せ部材はフットレスト８５Ｌ，８５Ｒに限定されず、例えばボードタイプの足載せ部材等、他の部材によって構成されていてもよい。
【００４８】
次に、エンジンユニット２８の内部構成を説明する。図６に示すように、エンジンユニット２８は、エンジン２９と、前述のＣＶＴ３０と、遠心式クラッチ４１と、減速機構４２とを備えている。
【００４９】
エンジン２９は、クランクケース３５と、クランクケース３５に接続されたシリンダ４３と、シリンダ４３に接続されたシリンダヘッド４４とを備えている。クランクケース３５は、分割された２つのケースブロック、すなわち、左側に位置する第１のケースブロック３５ａと、右側に位置する第２のケースブロック３５ｂとを有している。第１ケースブロック３５ａと第２ケースブロック３５ｂとは、車幅方向に沿って互いに突き合わされている。
【００５０】
クランクケース３５内には、クランク軸４６が収容されている。クランク軸４６は、車幅方向に延びており、水平に配置されている。クランク軸４６は、軸受４７を介して第１ケースブロック３５ａに支持され、軸受４８を介して第２ケースブロック３５ｂに支持されている。
【００５１】
シリンダ４３内には、ピストン５０が摺動可能に挿入されている。このピストン５０には、コンロッド５１の一端部が連結されている。クランク軸４６の左側クランクアーム４６ａと右側クランクアーム４６ｂとの間には、クランクピン５９が設けられている。コンロッド５１の他端部は、クランクピン５９に連結されている。
【００５２】
シリンダヘッド４４には、凹部４４ａと、凹部４４ａに連通する図示しない吸気ポート及び排気ポートとが形成されている。シリンダヘッド４４の凹部４４ａの内部には、点火プラグ５５が挿入されている。図３に示すように、上記吸気ポートには吸気管５２ａが接続され、上記排気ポートには排気管５２が接続されている。図１及び図２に示すように、排気管５２はシリンダヘッド４４から後方かつ右斜め下向きに延びた後、エンジンユニット２８の変速機ケース５３の下方を通ってさらに後方に延び、後輪２６の右側方に配置されたマフラ５４に接続されている。
【００５３】
図６に示すように、シリンダ４３内の左側部には、クランクケース３５の内部とシリンダヘッド４４の内部とをつなぐカムチェーン室５６が形成されている。このカムチェーン室５６には、タイミングチェーン５７が配設されている。タイミングチェーン５７は、クランク軸４６とカム軸５８とに巻き掛けられている。カム軸５８は、クランク軸４６の回転に従って回転し、図示しない吸気バルブ及び排気バルブを開閉させる。
【００５４】
第１ケースブロック３５ａの前半部の左側には、発電機６３を収容する発電機ケース６６が着脱自在に取り付けられている。第２ケースブロック３５ｂの右側には、ＣＶＴ３０を収容する変速機ケース５３が取り付けられている。
【００５５】
第２ケースブロック３５ｂの後半部の右側には開口が形成され、この開口はクラッチカバー６０によって塞がれている。クラッチカバー６０は、ボルト６１（図７参照）により、第２ケースブロック３５ｂに対して着脱可能に固定されている。
【００５６】
変速機ケース５３は、クランクケース３５から独立して形成されており、ＣＶＴ３０の車幅方向内側（左側）を覆う内側ケース５３ａと、ＣＶＴ３０の車幅方向外側（右側）を覆う外側ケース５３ｂとから構成されている。内側ケース５３ａはクランクケース３５の右側に取り付けられ、外側ケース５３ｂは内側ケース５３ａの右側に取り付けられている。これら内側ケース５３ａと外側ケース５３ｂとの内部には、ＣＶＴ３０を収容するベルト室６７が形成されている。なお、前述の接続管８６は外側ケース５３ｂに設けられている。
【００５７】
図６に示すように、クランク軸４６の右側端部は、第２ケースブロック３５ｂ及び内側ケース５３ａを貫通し、ベルト室６７にまで延びている。このクランク軸４６の右側端部には、ＣＶＴ３０のプライマリシーブ７１が嵌め込まれている。そのため、プライマリシーブ７１は、クランク軸４６の回転に従って回転する。このクランク軸４６の右側部分（厳密には、軸受４８よりも右側の部分）は、プライマリシーブ軸４６ｃを形成している。
【００５８】
一方、クランク軸４６の左側端部は、第１ケースブロック３５ａを貫通し、発電機ケース６６内に延びている。このクランク軸４６の左側端部には、発電機６３が取り付けられている。発電機６３は、ステータ６４と、ステータ６４に対向するロータ６５とを備えている。ロータ６５は、クランク軸４６と共に回転するスリーブ７４に固定されている。ステータ６４は、発電機ケース６６に固定されている。
【００５９】
クランクケース３５内の後半部には、クランク軸４６と平行にセカンダリシーブ軸６２が配置されている。図７に示すように、セカンダリシーブ軸６２の中央部の右側部分は、軸受７５を介してクラッチカバー６０に支持されている。セカンダリシーブ軸６２の左側部分は、軸受７６を介して第２ケースブロック３５ｂの左端部に支持されている。セカンダリシーブ軸６２の右側端部は、第２ケースブロック３５ｂ及びクラッチカバー６０を貫通し、ベルト室６７にまで延びている。このセカンダリシーブ軸６２の右側端部には、ＣＶＴ３０のセカンダリシーブ７２が連結されている。
【００６０】
図６に示すように、ＣＶＴ３０は、プライマリシーブ７１と、セカンダリシーブ７２と、これらプライマリシーブ７１とセカンダリシーブ７２とに巻き掛けられたＶベルト７３とを備えている。前述したように、プライマリシーブ７１はクランク軸４６の右側部に取り付けられている。セカンダリシーブ７２はセカンダリシーブ軸６２の右側部に連結されている。
【００６１】
プライマリシーブ７１は、車幅方向の外側に位置する固定シーブ半体７１ａと、車幅方向の内側に位置し、固定シーブ半体７１ａに対向する可動シーブ半体７１ｂとを備えている。固定シーブ半体７１ａは、プライマリシーブ軸４６ｃの右端部に固定されており、プライマリシーブ軸４６ｃと共に回転する。可動シーブ半体７１ｂは、固定シーブ半体７１ａの左側に配置されており、プライマリシーブ軸４６ｃにスライド自在に取り付けられている。したがって、可動シーブ半体７１ｂは、プライマリシーブ軸４６ｃと共に回転し、かつ、プライマリシーブ軸４６ｃの軸方向にスライド自在である。固定シーブ半体７１ａと可動シーブ半体７１ｂとの間には、ベルト溝が形成されている。可動シーブ半体７１ｂの左側部分にはカム面１１１が形成され、カム面１１１の左側にはカムプレート１１２が配設されている。可動シーブ本体７１ｂのカム面１１１とカムプレート１１２との間には、ローラウエイト１１３が配設されている。
【００６２】
外側ケース５３ｂにおけるプライマリシーブ７１の外側部分には、複数の吸気口９８が形成されている。図９に示すように、吸気口９８は接続管８６内とベルト室６７とを連通させる開口である。本実施形態では、吸気口９８は固定シーブ半体７１ａの右側部分に向かって開口している。
【００６３】
プライマリシーブ７１の固定シーブ半体７１ａの右側部分には、送風用の複数の羽根９５が形成されている。これらの羽根９５は、吸気ダクト１３６からベルト室６７に空気を導き、また、ベルト室６７内の空気を外部に搬送する。本実施形態では、羽根９５は、側面視において固定シーブ半体７１ａの中心部から径方向外側に螺旋状に延びるように形成されている。ただし、羽根９５の具体的形状は何ら限定されず、その枚数も何ら限定されるものではない。また、固定シーブ半体７１ａの外側に、固定シーブ半体７１ａと別体の羽根車等を設けるようにしてもよい。このようなものも、「固定シーブ半体７１ａの外側に形成された送風用の羽根」に該当する。
【００６４】
セカンダリシーブ７２は、車幅方向の内側に位置する固定シーブ半体７２ａと、車幅方向の外側に位置し、固定シーブ半体７２ａに対向する可動シーブ半体７２ｂとを備えている。可動シーブ半体７２ｂは、セカンダリシーブ軸６２の右端部に取り付けられている。可動シーブ半体７２ｂは、セカンダリシーブ軸６２と共に回転し、かつ、セカンダリシーブ軸６２の軸方向にスライド自在である。セカンダリシーブ軸６２の右端には圧縮コイルスプリング１１４が設けられており、可動シーブ半体７２ｂは圧縮コイルスプリング１１４から左向きの付勢力を受けている。固定シーブ半体７２ａの軸心部は円筒状のスライドカラーとなっており、セカンダリシーブ軸６２にスプライン嵌合されている。
【００６５】
本実施形態では、セカンダリシーブ７２はプライマリシーブ７１よりも直径が大きくなっている。具体的には、セカンダリシーブ７２の固定シーブ半体７２ａ及び可動シーブ半体７２ｂは、プライマリシーブ７１の固定シーブ半体７１ａ及び可動シーブ半体７１ｂよりも直径が大きい。
【００６６】
ＣＶＴ３０では、ローラウエイト１１３がプライマリシーブ７１の可動シーブ半体７１ｂを右向きに押す力と、圧縮コイルスプリング１１４がセカンダリシーブ７２の可動シーブ半体７２ｂを左向きに押す力との大小関係によって、減速比が決定される。
【００６７】
すなわち、プライマリシーブ軸４６ｃの回転数が上昇すると、ローラウエイト１１３が遠心力を受けて径方向外側に移動し、可動シーブ半体７１ｂを右向きに押す。すると、可動シーブ半体７１ｂは右側に移動し、プライマリシーブ７１のベルト巻き掛け径が大きくなる。これに伴い、セカンダリシーブ７２のベルト巻き掛け径が小さくなり、セカンダリシーブ７２の可動シーブ半体７２ｂは、圧縮コイルスプリング１１４の付勢力に対抗して右側に移動する。この結果、プライマリシーブ７１におけるＶベルト７３の巻き掛け径が大きくなる一方、セカンダリシーブ７２における巻き掛け径が小さくなり、減速比は小さくなる。
【００６８】
一方、プライマリシーブ軸４６ｃの回転数が低下すると、ローラウエイト１１３の遠心力が小さくなるので、ローラウエイト１１３は可動シーブ半体７１ｂのカム面１１１及びカムプレート１１２に沿って径方向内側に移動する。そのため、ローラウエイト１１３が可動シーブ半体７１ｂを右向きに押す力が小さくなる。すると、圧縮コイルスプリング１１４の付勢力が相対的に上記力を上回り、セカンダリシーブ７２の可動シーブ半体７２ｂは左側に移動し、それに応じてプライマリシーブ７１の可動シーブ半体７１ｂも左側に移動する。その結果、プライマリシーブ７１におけるベルト巻き掛け径が小さくなる一方、セカンダリシーブ７２におけるベルト巻き掛け径が大きくなり、減速比は大きくなる。
【００６９】
内側ケース５３ａの周縁部の左側にはシール溝６８ａが形成され、このシール溝６８ａに第２ケースブロック３５ｂの右側の周縁部が嵌め込まれている。なお、シール溝６８ａ内における内側ケース５３ａと第２ケースブロック３５ｂとの間には、Ｏリング６８が挿入されている。また、内側ケース５３ａの周縁部の右側にもシール溝６９ａが形成され、このシール溝６９ａには外側ケース５３ｂの周縁部が嵌め込まれている。シール溝６９ａ内における内側ケース５３ａと外側ケース５３ｂとの間には、Ｏリング６９が挿入されている。外側ケース５３ｂと第２ケースブロック３５ｂとは、それらの間に内側ケース５３ａを挟み込んだ状態でボルト７０によって締結されている。
【００７０】
図８に示すように、内側ケース５３ａの前半部１２１は左側に膨出する碗状に形成され、内側ケース５３ａの後半部１２２は右側に膨出する碗状に形成されている。前半部１２１には、ＣＶＴ３０のプライマリシーブ軸４６ｃを挿通させる孔１２１ａが形成されている。後半部１２２には、ＣＶＴ３０のセカンダリシーブ軸６２を挿通させる孔１２２ａが形成されている。なお、図８では、内側ケース５３ａと第２ケースブロック３５ｂとの間に介在するクラッチカバー６０（図６参照）は図示していない。
【００７１】
内側ケース５３ａには、通風口１２３が設けられている。本実施形態では、通風口１２３は円形状に形成され、内側ケース５３ａの上下方向中間位置よりも上側に３個形成されている。ただし、通風口１２３の形状は何ら限定されない。また、通風口１２３の位置は、必ずしも内側ケース５３ａの上側部分に限られない。本実施形態では、通風口１２３は、内側ケース５３ａの前半部１２１及び後半部１２２のそれぞれに設けられている。ただし、通風口１２３は、前半部１２１及び後半部１２２のいずれか一方のみに形成されていてもよい。通風口１２３の個数も特に限定される訳ではない。
【００７２】
第２ケースブロック３５ｂの右側部分の下側には、複数の通風口１２４が形成されている。詳しくは、第２ケースブロック３５ｂは、右側方に向かって立設された周縁部１２５を備えており、この周縁部１２５は変速機ケース５３の輪郭形状に応じた形状を有している。そして、周縁部１２５の下側は、その一部が切り欠かれたようなスリット状に形成され、いわゆる櫛状になっている。そのため、第２ケースブロック３５ｂと内側ケース５３ａとによって区画される空間１２６は、通風口１２４を通じてエンジンユニット２８の外部と連通している。なお、第２ケースブロック３５ｂの後半部の右側はクラッチカバー６０によって覆われているので、第２ケースブロック３５ｂの後半部にあっては、上記空間１２６はクラッチカバー６０と内側ケース５３ａとの間に形成されることになる。
【００７３】
周縁部１２５の櫛状部分には、補強リブ１２８が設けられている。通風口１２４の下方には、オイルパン１２７が設けられている。
【００７４】
以上のような構成により、図９に示すように、ベルト室６７内の空気は、内側ケース５３ａの通風口１２３を通じて空間１２６に導かれ、さらに第２ケースブロック３５ｂの通風口１２４を通じて、オイルパン１２７に向かって排出される。その結果、上記空気はエンジンユニット２８の外部に排出されることになる。
【００７５】
本実施形態では、第２ケースブロック３５ｂの周縁部１２５の下側を櫛状に形成し、スリット状の複数の通風口１２４を形成していた。ただし、通風口１２４の形状はスリット形状に限らず、円形状等の他の形状の開口であってもよいことは勿論である。第２ケースブロック３５ｂの通風口１２４の形状、寸法及び個数等は、何ら限定されるものではない。
【００７６】
図７に示すように、遠心式クラッチ４１は、セカンダリシーブ軸６２の左側部分に取り付けられている。遠心式クラッチ４１は、湿式多板式のクラッチであり、略円筒状のクラッチハウジング７８とクラッチボス７７とを備えている。クラッチハウジング７８はセカンダリシーブ軸６２にスプライン嵌合され、セカンダリシーブ軸６２と一体となって回転する。クラッチハウジング７８には、リング状の複数のクラッチ板７９が取り付けられている。これらクラッチ板７９は、セカンダリシーブ軸６２の軸方向に間隔を空けて並んでいる。
【００７７】
セカンダリシーブ軸６２の左側部分の周囲には、軸受８１を介して円筒状の歯車８０が回転自在に嵌め込まれている。クラッチボス７７は、クラッチ板７９の径方向内側かつ歯車８０の径方向外側に配置され、この歯車８０と噛み合っている。そのため、歯車８０はクラッチボス７７と共に回転する。クラッチボス７７の径方向外側には、リング状の複数のフリクションプレート８２が取り付けられている。これらフリクションプレート８２は、セカンダリシーブ軸６２の軸方向に沿って間隔を空けて並んでおり、各フリクションプレート８２は隣り合うクラッチ板７９，７９の間に配置されている。
【００７８】
クラッチハウジング７８の左側には、複数のカム面８３ａが形成されている。カム面８３ａと、このカム面８３に対向する最も右側のクラッチ板７９との間には、ローラウエイト８４ａが配置されている。
【００７９】
この遠心式クラッチ４１では、ローラウエイト８４ａに作用する遠心力の大小によって、クラッチインの状態（接続状態）とクラッチオフの状態（遮断状態）とが自動的に切り替えられる。
【００８０】
すなわち、クラッチハウジング７８の回転速度が所定速度以上になると、ローラウエイト８４ａが遠心力を受けて径方向外側に移動し、クラッチ板７９はローラウエイト８４ａによって左方向に押される。その結果、クラッチ板７９とフリクションプレート８２とが圧着し、セカンダリシーブ軸６２の駆動力が遠心式クラッチ４１を経て出力軸８５に伝達されるクラッチイン状態となる。
【００８１】
一方、クラッチハウジング７８の回転速度が所定速度未満になると、ローラウエイト８４ａに作用する遠心力が小さくなり、ローラウエイト８４ａは径方向内側に移動する。その結果、クラッチ板７９とフリクションプレート８２との圧着が解除され、セカンダリシーブ軸６２の駆動力が出力軸８５に伝達されないクラッチオフ状態となる。なお、図７において、遠心式クラッチ４１における前側（図７における上側）の部分はクラッチオフ状態を表し、後側（図７における下側）の部分はクラッチイン状態を表している。
【００８２】
減速機構４２は、遠心式クラッチ４１と出力軸８５との間に介在している。減速機構４２は、セカンダリシーブ軸６２及び出力軸８５と平行に配置された変速軸１００を有している。変速軸１００は、軸受１０１を介して第１ケースブロック３５ａに回転自在に支持されるとともに、軸受１０２を介して第２ケースブロック３５ｂに回転自在に支持されている。変速軸１００の右端部には、歯車８０と噛み合う第１変速歯車１０３が設けられている。
【００８３】
変速軸１００の中央部には、第１変速歯車１０３よりも小径の第２変速歯車１０４が設けられている。出力軸８５の右端部の外周側には、第２変速歯車１０４と噛み合う第３変速歯車１０５が形成されている。出力軸８５の右端部の内周側は、軸受１０６を介してセカンダリシーブ軸６２の左端部に支持されている。したがって、出力軸８５は、軸受１０６を介してセカンダリシーブ軸６２に回転自在に支持され、セカンダリシーブ軸６２と同軸状（一直線上）に配置されている。また、出力軸８５の中央部は、軸受１０７を介して第２ケースブロック３５ｂの左端部に回転自在に支持されている。
【００８４】
このような構成により、クラッチボス７７と出力軸８５とは、歯車８０、第１変速歯車１０３、変速軸１００、第２変速歯車１０４、及び第３変速歯車１０５を介して連結されている。そのため、出力軸８５はクラッチボス７７の回転に従って回転する。
【００８５】
出力軸８５の左端部は第１ケースブロック３５ａを貫通し、クランクケース３５の外側に突出している。出力軸８５の左端部には、ドライブスプロケット１０８が固定されている。ドライブスプロケット１０８には、出力軸８５の駆動力を後輪２６に伝達する動力伝達機構としてチェーン１０９が巻き掛けられている。なお、動力伝達機構はチェーン１０９に限られず、伝動ベルト、複数の歯車を組み合わせてなる歯車機構、ドライブシャフト等、その他の部材であってもよい。
【００８６】
以上が自動二輪車１０の構成である。次に、図９を参照しながら、ＣＶＴ３０の冷却動作について説明する。
【００８７】
エンジンユニット２８が作動すると、ＣＶＴ３０のプライマリシーブ軸４６ｃが回転し、それに伴ってプライマリシーブ７１の固定シーブ半体７１ａの羽根９５が回転する。その結果、吸気ダクト１３６からベルト室６７内に向かって空気を導く吸引力が発生する。
【００８８】
すると、図９に示すように、吸気口１３７を通じて吸気ダクト１３６内に空気が吸い込まれ、当該空気は第１フィルタ１３８を通過して浄化された後、接続管８６内に流入する。接続管８６内に流入した空気は、第２フィルタ１３９を通過して浄化された後、吸気口９８を通じてベルト室６７に吸い込まれる。ベルト室６７に吸い込まれた空気は、プライマリシーブ７１、セカンダリシーブ７２及びＶベルト７３の周囲を流れ、これらプライマリシーブ７１、セカンダリシーブ７２及びＶベルト７３を冷却する。
【００８９】
プライマリシーブ７１、セカンダリシーブ７２及びＶベルト７３を冷却した空気は、内側ケース５３ａの通風口１２３を通じてベルト室６７から排出され、内側ケース５３ａと第２ケースブロック３５ｂとの間の空間１２６に流れ込む。そして、当該空間１２６内の空気は、第２ケースブロック３５ｂの下部に形成された通風口１２４を通じて、エンジンユニット２８の外部に排出される。以上のような空気の流れによって、ＣＶＴ３０は連続的に冷却されることになる。
【００９０】
以上のように、本実施形態によれば、センタートンネル１１ａの車幅方向の外方かつ変速機ケース５３の上方に吸気ダクト１３６が配置され、当該吸気ダクト１３６の上端１３６ａがシート１６の前方の凹状空間１７の下端１７ａよりも低い位置に設けられている（図１参照）。これにより、センタートンネル１１ａの車幅方向の外方かつ変速機ケース５３の上方の空間を空気通路の設置スペースとして有効に利用することができる。したがって、車体カバー２１を大型化することなく、空気通路の設置スペースを十分に確保することができる。その結果、十分な流路断面積を有する空気通路を実現することができ、ＣＶＴ３０の冷却性能の向上と車体カバー２１の小型化とを両立させることが可能となる。本実施形態によれば、ＣＶＴ３０の信頼性の向上と自動二輪車１０のスリム化とを両立させることができる。
【００９１】
特に、本実施形態のような形式の鞍乗型車両、すなわち、シートの前方に下方に窪んだ凹状空間が形成されかつ乗員が車体フレームを跨いで乗車する形式の鞍乗型車両では、特に車体のスリム化が望まれている。そのため、車体のスリム化に関する観点から、ベルト室に連通する空気通路の設置位置に関して、他の形式の鞍乗型車両には見られないような多くの制約が存在する。しかしながら、本実施形態によれば、上述の通り、ＣＶＴ３０の信頼性の向上と自動二輪車１０のスリム化とを両立させることができる。したがって、本考案の効果が特に顕著に発揮されることになる。ただし、本考案に係る鞍乗型車両は、上記形式の鞍乗型車両に限定される訳ではない。
【００９２】
本実施形態によれば、フットレスト８５Ｒが変速機ケース５３の車幅方向の外方に配置され、変速機ケース５３の上方に吸気ダクト１３６が配置され、吸気ダクト１３６の車幅方向の外側端（右側端）は、フットレスト８５Ｒの車幅方向の内側端（左側端）よりも内側（左側）に位置している（図２参照）。そのため、吸気ダクト１３６がフットレスト８５Ｒほど側方に出っ張ることがなく、自動二輪車１０のスリム化を促進することができる。
【００９３】
また、本実施形態によれば、車幅方向の内側に向かって開口するカバー４５で吸気ダクト１３６の外側を覆うこととしたので、ベルト室６７に対する水や埃等の流入を抑制することができ、ＣＶＴ３０の信頼性を向上させることができる。
【００９４】
図９に示すように、カバー４５と車体カバー２１とは部分的に重なっている。そのため、カバー４５と車体カバー２１との間の隙間からカバー４５内に水や埃等が浸入することを抑制することができる。したがって、ベルト室６７に対する水や埃等の流入を更に抑制することができ、ＣＶＴ３０の信頼性をより一層向上させることができる。
【００９５】
なお、カバー４５及び車体カバー２１の重なり形状は何ら限定されるものではない。例えば、図１０に示すように、車体カバー２１に外側に突出する突出片２１ａを設け、カバー４５の左端部４５ａを突出片２１ａと上下方向に重ねるようにしてもよい。
【００９６】
また、本実施形態によれば、カバー４５の内部空間４５ｃとセンタートンネル１１ａとは連通している。そのため、吸気ダクト１３６からは、主としてセンタートンネル１１ａ内の空気が吸い込まれることになる。したがって、センタートンネル１１ａの外部（車体カバー２１の外側）の空気を吸気ダクト１３６に直接吸い込む場合に比べて、ベルト室６７に対する水や埃等の流入を抑制することができ、ＣＶＴ３０の信頼性をより一層向上させることができる。
【００９７】
図２に示すように、本実施形態によれば、変速機ケース５３の前方にレッグシールド３４Ｒが配置され、レッグシールド３４Ｒは吸気ダクト１３６よりも車幅方向の外側に延設されている。そのため、前方から変速機ケース５３に向かって降りかかる水や埃等をレッグシールド３４Ｒで防ぐことができ、ベルト室６７に対する水や埃等の流入を更に抑制することができる。また、吸気ダクト１３６はレッグシールド３４Ｒに比べると車幅方向に出っ張っていないので、吸気ダクト１３６を設けることによって車両のスリム化を損なうおそれはない。
【００９８】
また、本実施形態によれば、吸気ダクト１３６の前後方向長さは、変速機ケース５３の前後方向長さよりも短くなっている。そのため、空気通路のコンパクト化を図ることができる。
【００９９】
前述したように、本実施形態によれば、平面視において、吸気ダクト１３６の車幅方向の外側端（右側端）は、変速機ケース５３の車幅方向の外側端（右側端）よりも内側（左側）に位置している（図２参照）。そのため、吸気ダクト１３６が変速機ケース５３よりも側方に出っ張ることがなく、自動二輪車１０のスリム化を促進することができる。
【０１００】
図１に示すように、本実施形態によれば、吸気ダクト１３６はプライマリシーブ軸４６ｃとセカンダリシーブ軸６２との間の上方に位置している。これにより、従来は有効に利用されていなかったＣＶＴ３０の両シーブ軸４６ｃ，６２間の上方のスペースを有効に活用することができる。
【０１０１】
図３に示すように、変速機ケース５３は上面部５３ｕを有しており、この上面部５３ｕは走行時に前下がりに傾斜した状態となる。そのため、上面部５３ｕには水や埃等が溜まりにくい。そして、本実施形態では、吸気ダクト１３６の吸気口１３７は、上面部５３ｕに対向している。したがって、吸気口１３７から水や埃等が吸い込まれることをより一層抑制することができる。
【０１０２】
本実施形態によれば、吸気ダクト１３６は、自動二輪車１０の左右方向に関して、チェーン１０９が設けられている側と反対側に配置されている。すなわち、チェーン１０９は自動二輪車１０の左半部に設けられているのに対し、吸気ダクト１３６は自動二輪車１０の右半部に配置されている。そのため、吸気ダクト１３６とチェーン１０９との干渉を容易に避けることができる。したがって、吸気ダクト１３６の設置スペースとして、十分な大きさのスペースを容易に確保することが可能となる。なお、吸気ダクト１３６の左右位置は何ら限定されず、例えば、吸気ダクト１３６を自動二輪車１０の左半部に設け、チェーン１０９等の動力伝達機構を自動二輪車１０の右半部に設けることも可能である。
【０１０３】
＜第２実施形態＞
第１実施形態は、センタートンネル１１ａの車幅方向の外方かつ変速機ケース５３の上方に、吸気通路を区画する吸気ダクト１３６を配置したものであった。しかし、センタートンネル１１ａの外方かつ変速機ケース５３の上方に配置される空気通路は、吸気通路に限定される訳ではない。図１１〜図１３に示す第２実施形態は、センタートンネル１１ａの車幅方向の外方かつ変速機ケース５３の上方に、ＣＶＴ３０の冷却後の空気を外部に排出する排気通路を配置したものである。
【０１０４】
図１１及び図１２に示すように、本実施形態においては、変速機ケース５３の外側ケース５３ｂの前側部分（プライマリシーブ７１側の部分）に接続管９６が形成され、この接続管９６に吸気ダクト１３４が接続されている。吸気ダクト１３４の上流側は、エアチャンバ１３０に接続されている。エアチャンバ１３０は、右側のレッグシールド３４Ｒの後方に配置されている。エアチャンバ１３０は、一方向に長い箱状に形成されており、レッグシールド３４Ｒの長手方向に沿って斜め上下方向に延びている。
【０１０５】
図１１に示すように、エアチャンバ１３０の上部には、空気を取り入れる吸入ダクト１３１が設けられている。吸入ダクト１３１は、エアチャンバ１３０の上面から前方斜め上向きに延びる曲がり管によって形成されている。吸入ダクト１３１の吸気口１３２は前方斜め下向きに開口し、レッグシールド３４Ｒの背面に対向している。ただし、吸気口１３２の開口方向は特に限定される訳ではない。エアチャンバ１３０の内部には、図示しないフィルタが収納されている。
【０１０６】
エアチャンバ１３０、吸入ダクト１３１、及び吸気ダクト１３４は、いずれも樹脂材料によって形成されている。ただし、エアチャンバ１３０、吸入ダクト１３１、及び吸気ダクト１３４の材料は何ら限定されず、また、それらは別々の材料で形成されていてもよい。
【０１０７】
エアチャンバ１３０の取付方法も何ら限定されない。例えば、図１１に示すように、レッグシールド３４Ｒにブラケット３９を設けておき、エアチャンバ１３０を当該ブラケット３９にボルト等によって固定してもよい。
【０１０８】
図１３に示すように、本実施形態では、内側ケース５３ａの通風口１２３は、内側ケース５３ａの下半部に形成されている。なお、第２ケースブロック３５ｂには通風口１２４（図８参照）は形成されていない。
【０１０９】
変速機ケース５３（より詳しくは内側ケース５３ａ）の上方には、排気通路を区画する排気ダクト１４６が設けられている。本実施形態では、排気ダクト１４６は内側ケース５３ａと一体的に形成されているが、排気ダクト１４６は内側ケース５３ａと別体のものであってもよい。排気ダクト１４６は上向きに延びる直管によって形成されている。ただし、排気ダクト１４６の具体的形状は何ら限定されるものではない。
【０１１０】
排気ダクト１４６は、カバー１４７によって覆われている。カバー１４７は、上方に向かって凸状の山形の断面形状を有している。
【０１１１】
排気ダクト１４６は、内側ケース５３ａと第２ケースブロック３５ｂとの間に形成された空間１２６につながっている。したがって、空間１２６内の空気が排気ダクト１４６を通ってカバー１４７の内部空間１４７ｃに導かれることになる。
【０１１２】
カバー１４７の上部には、上方に突出した突出片１４７ａが形成され、突出片１４７ａは車体カバー２１の下端部２１ａと左右方向に重なっている。すなわち、本実施形態においても、カバー１４７は車体カバー２１と部分的に重なっている。なお、カバー１４７と車体カバー２１とは直接重なっていてもよく、シール材等を介して重なっていてもよい。カバー１４７の下端部は、シール材１４０を介して外側ケース５３ｂと重なっている。
【０１１３】
図１に示すように、排気ダクト１４６は、プライマリシーブ軸４６ｃの軸心Ｃ１とセカンダリシーブ軸６２の軸心Ｃ２との間の上方に配置されている。排気ダクト１４６の上端は、シート１６の前方の凹状空間１７の下端１７ａよりも低い位置に配置されている。
【０１１４】
その他の構成は第１実施形態と同様であるので、それらの説明は省略する。
【０１１５】
本実施形態では、レッグシールド３４Ｒの後方の吸入ダクト１３１（図１１参照）を通じてエアチャンバ１３０内に空気が吸い込まれ、当該空気は図示しないフィルタを通過して浄化された後、吸気ダクト１３４及び接続管９６を通じてベルト室６７に吸い込まれる。ベルト室６７に吸い込まれた空気は、プライマリシーブ７１、セカンダリシーブ７２及びＶベルト７３の周囲を流れ、これらを冷却する。
【０１１６】
図１３に示すように、プライマリシーブ７１、セカンダリシーブ７２及びＶベルト７３を冷却した空気は、内側ケース５３ａの通風口１２３を通じてベルト室６７から排出され、内側ケース５３ａと第２ケースブロック３５ｂとの間の空間１２６に流れ込む。そして、当該空間１２６内の空気は、排気ダクト１４６を通じてカバー１４７の内部空間１４７ｃに導かれ、センタートンネル１１ａを経て外部に排出される。以上のような空気の流れによって、ＣＶＴ３０の冷却が行われる。
【０１１７】
本実施形態によれば、センタートンネル１１ａの車幅方向の外方かつ変速機ケース５３の上方の空間を、ベルト室６７からの空気を排出するための排気通路の設置スペースとして有効に利用することができる。したがって、車体カバー２１を大型化することなく、排気通路の設置スペースを確保することができる。その結果、十分な流路面積を有する排気通路を実現することができ、ＣＶＴ３０の冷却性能の向上と車体カバー２１の小型化とを両立させることが可能となる。
【０１１８】
＜第３実施形態＞
第１実施形態（図９参照）では、車体カバー２１とカバー４５とは別部材であり、それらは部分的に重ねられていた。また、車幅方向に関して、吸気ダクト１３６は車体カバー２１よりも外側に配置されていた。第２実施形態（図１３参照）においても、車体カバー２１とカバー１４７とは別部材であり、それらは部分的に重ねられていた。また、車幅方向に関して、排気ダクト１４６は車体カバー２１よりも外側に配置されていた。しかし、センタートンネルを区画する車体カバーとダクトを覆うカバーとは、一体的に形成されていてもよい。
【０１１９】
図１４に示すように、第３実施形態は、第２実施形態において、車体カバー２１とカバー１４７とを一体化したものである。言い換えると、カバー１４７は車体カバー２１の一部を形成している。そのため、本実施形態では、車幅方向（図１４の左右方向）に関して、排気ダクト１４６はセンタートンネル１１ａよりも外側に配置されているが、車体カバー２１の外側端２１ｂよりは内側に位置している。なお、図１４における仮想線Ｌ２は、センタートンネル１１ａの外側の境界を表している。
【０１２０】
その他の構成は、第２実施形態と同様である。本実施形態においても、第２実施形態と同様の効果を得ることができる。
【０１２１】
なお、図示は省略するが、第１実施形態（図９参照）において、センタートンネル１１ａを区画する車体カバー２１と、吸気ダクト１３６を覆うカバー４５とを一体化してもよい。この場合、車幅方向に関して、吸気ダクト１３６はセンタートンネル１１ａよりも外側に配置されるが、車体カバー２１の外側端よりは内側に位置することになる。
【産業上の利用可能性】
【０１２２】
以上説明したように、本考案は、自動二輪車等の鞍乗型車両について有用である。
【符号の説明】
【０１２３】
１０    自動二輪車
１１    車体フレーム（フレーム）
１１ａ  センタートンネル
１６    シート
１７    側面視凹状空間
２１    車体カバー
２８    エンジンユニット
３０    Ｖベルト式無段変速機
３４Ｒ  レッグシールド
４５    カバー
５３    変速機ケース
６７    ベルト室
８５Ｒ  フットレスト（足載せ部材）
１３６  吸気ダクト
【図１】
0003150482.tif 000003
【図２】
0003150482.tif 000004
【図３】
0003150482.tif 000005
【図４】
0003150482.tif 000006
【図５】
0003150482.tif 000007
【図６】
0003150482.tif 000008
【図７】
0003150482.tif 000009
【図８】
0003150482.tif 000010
【図９】
0003150482.tif 000011
【図１０】
0003150482.tif 000012
【図１１】
0003150482.tif 000013
【図１２】
0003150482.tif 000014
【図１３】
0003150482.tif 000015
【図１４】
0003150482.tif 000016